【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
式
【化１】
2005505667.tif 000001
〔式中、各ｎは、独立して、１または２を意味し、
浮動結合（floating bond）で示された基ＳＯ３Ｍは、４または５位に結合され、
各Ｍは、独立して、当量の非発色団カチオンを意味し、
各Ｍ′は、独立して、水素またはＭを意味する〕の蛍光増白剤（ＰＡＢ）であって、
且つ、（ＰＡＢ）のカチオンＭの少なくとも一部は、ヘテロ原子環員（member）または鎖員として塩形態の第４級アンモニウム基を含有するポリカチオン性ポリオール／エピクロロヒドリン／アミンポリマー（ＰＡ）のカチオン性基であり、そしていずれの残部も、アルカリ金属カチオン、非置換アンモニウム並びにＣ１−３アルキルまたは／およびＣ２−３ヒドロキシアルキルで置換されたアンモニウムから選択されたカチオンであり、
ポリカチオン性ポリマー（ＰＡ）は、その第４級アンモニウム基の一つまたはそれ以上によって少なくとも部分的に架橋されているポリマーであり、
（ＰＡ）のカチオン性基に対するいずれの残りの対イオンも、低分子酸の非発色団アニオンであり、
且つ、（ＰＡＢ）のアニオン性蛍光増白剤部分中の全アニオン性基対（ＰＡＢ）のポリカチオン性ポリマー（ＰＡ）部分中のカチオン性アンモニウム基の全量の比率は≧８０／１００である蛍光増白剤（ＰＡＢ）。
【請求項２】
請求項１に記載の蛍光増白剤（ＰＡＢ）を含む液状水性蛍光増白剤組成物（Ｗ）。
【請求項３】
少なくとも１種の処方添加剤（Ｆ）を更に含有する、請求項２に記載の液状水性組成物（Ｗ）。
【請求項４】
（ＰＡＢ）のアニオン性蛍光増白剤部分中の全アニオン性基対（ＰＡＢ）のポリカチオン性ポリマー（ＰＡ）部分中のカチオン性アンモニウム基の全量の比率が、１００／１００から６００／１００の範囲にある、請求項１に記載の蛍光増白剤（ＰＡＢ）または請求項２または３に記載の水性組成物（Ｗ）。
【請求項５】
請求項２に記載の水性組成物（Ｗ）の形態の請求項１に記載の（ＰＡＢ）の製造方法において、アニオン性蛍光増白剤（Ｂ）中の全アニオン性基対ポリカチオン性ポリマー（ＰＡ）中のカチオン性アンモニウム基の全量が≧８０／１００になるような当量比にて、（Ｂ）  式
【化２】
2005505667.tif 000002
〔式中、各ｎは、独立して、１または２を意味し、そして
浮動結合で示された基ＳＯ３Ｈは、４または５位に結合され、しかも遊離酸またはアルカリ金属もしくは／およびアンモニウム塩形態にあり、該アンモニウムは置換されていないかまたはＣ１−３アルキルもしくは／およびＣ２−３ヒドロキシアルキルで置換されている〕のアニオン性蛍光増白剤の水溶液を、
（ＰＡ）  ポリマーのヘテロ原子鎖員または環員として塩形態の第４級アンモニウム基を含有するポリカチオン性ポリオール／エピクロロヒドリン／アミンポリマーであって、しかも該ポリマーはその第４級アンモニウム基の一つまたはそれ以上によって少なくとも部分的に架橋されており、且つカチオン性第４級アンモニウム基に対する対イオンは鉱酸のアニオン、低分子カルボン酸のアニオンまたは四級化剤由来のアニオンであるポリマーの水溶液に添加するか、あるいは遊離酸またはアルカリ金属塩の形態の（Ｂ）の水溶液を（ＰＡ）の前駆体（ＰＰＡ）に重合および／または架橋の完了前に添加し、そして重合および／または架橋反応を（Ｂ）の存在下で完了させて、少なくとも部分的に同伴されたまたは絡み合った塩形態の（Ｂ）を含有するポリマー（ＰＡＢ′）である生成物（ＰＡＢ）の溶液または分散体を生じさせ、且つ得られた生成物（ＰＡＢ）が液状水性組成物（Ｗ）の形態にある方法。
【請求項６】
１種またはそれ以上の請求項３に記載の処方添加剤（Ｆ）を、（ＰＡＢ）の生成の完了後に添加する、請求項５に記載の方法。
【請求項７】
アニオン性蛍光増白剤で増白可能な基材を蛍光増白するための、請求項１から４のいずれか一項に記載の（ＰＡＢ）または（Ｗ）の使用。
【請求項８】
紙またはボール紙の蛍光増白のための、請求項７に記載の使用。
【請求項９】
増白剤含有の白色ピグメントまたは充填材（filler）であって、水性スラリーの形態または乾燥形態の、請求項１または４に記載の蛍光増白剤（ＰＡＢ）を含む白色ピグメントまたは充填材。
【請求項１０】
充填材または白色ピグメントを含有するサイズ剤またはコーティング剤組成物中の（ＰＡＢ）または（Ｗ）の施用による、紙を蛍光増白するための請求項７または８に記載の使用。
【請求項１１】
（ＰＡＢ）と充填材または白色ピグメントとが請求項９に記載の形態にある請求項１０に記載の使用。
【請求項１２】
請求項７、８、１０または１１に記載の方法により製造された紙。
【請求項１３】
インクジェット印刷用基材（substrate）としての、請求項１１に記載の紙の使用。
【手続補正２】
【補正対象書類名】明細書
【補正対象項目名】００４５
【補正方法】変更
【補正の内容】
【００４５】
四級化性アミンと付加物との反応は、好ましくは水性媒質中で、および好ましくは加熱状態で例えば５０から１００℃好ましくは６０から９０℃の範囲の温度にて行われる。反応中、少なくとも開始時において、アミンの塩基性度は、付加物でのすなわちアルキル化剤として用いられる塩化物でのアミンの四級アルキル化にとって充分である。反応混合物のｐＨは、好ましくは、４から９の範囲にあり、しかして開始時において好ましくは７から９の範囲にある。反応が進行するにつれて、混合物のアルカリ性度および架橋性アミンの濃度は減少する。所望されるより高い共有結合塩素の割合が反応生成物中に存在する場合、例えば、一官能性第３級アミンである更なる反応体が添加され得、および／または出発架橋性反応体が第２級モノアミンである場合、ｐＨが好ましくは７から９の範囲に維持されるように、アルカリ金属水酸化物好ましくは水酸化ナトリウムのような適当な強塩基が添加することができる。反応が完了したまたは所望度に達した時、反応混合物は、適当には、慣用の酸好ましくは鉱酸（塩酸、硫酸またはリン酸のような）または低分子脂肪族カルボン酸例えば１から６個の炭素原子を有するもの（ギ酸、酢酸、クエン酸または乳酸のような）の添加により酸性化されて、好ましくは７未満一層好ましくは４から７の範囲最も好ましくは５から６．５の範囲のｐＨに達する。反応の進行は、架橋度すなわち四級化度の経験的印象を与える反応混合物の粘度を調べることにより追跡することができる。適当な粘度は、例えば、２００から３，０００ｍＰａ・ｓ（ｃＰ）の範囲にある。
【手続補正３】
【補正対象書類名】明細書
【補正対象項目名】００５１
【補正方法】変更
【補正の内容】
【００５１】
成分の添加速度および濃度は、好都合には、得られる溶液の粘度の明確な増分が起こり且つ組合せ生成物（ＰＡＢ）の溶液が依然として容易に撹拌可能である（例えば、５，０００ｍＰａ・ｓ（ｃＰ）未満好ましくは２００から４，０００ｍＰａ・ｓ（ｃＰ）、一層好ましくは４００から２，０００ｍＰａ・ｓ（ｃＰ）の範囲の粘度を有する）ように選ばれる。（Ｂ）の溶液についての適当な濃度は、５から７０好ましくは１０から５０重量（質量）％の範囲にある。（ＰＡ）の溶液についての適当な濃度は、１０から８０好ましくは２０から７０重量（質量）％の範囲にある。（ＰＡＢ）の生成溶液または分散体についての適当な濃度は、１０から９０好ましくは２０から８０重量（質量）％の範囲にある。これらの濃度についての特に好ましい粘度は、５００から２，０００ｍＰａ・ｓ（ｃＰ）の範囲にある。（ＰＡＢ）の得られた水性組成物（Ｗ）は、水溶液すなわち真溶液もしくは少なくともコロイド溶液、または分散体である。（Ｗ）中の（ＰＡＢ）含有率は、特に予定使用および輸送形態に依存して、広く変動することができる。濃厚組成物（Ｗ）において、（ＰＡＢ）含有率は、例えば、重量により５から７０％好ましくは８から５０％一層好ましくは１０から４０％である。それは生成されたまま直接的に用いられ得、あるいは−所望される場合−それは塩の含有率および／もしくは濃度について変えられ得（例えば膜濾過によって、溶液に）並びに／またはそれはいかなる更なる所望成分特に少なくとも１種の処方添加剤（Ｆ）と一緒にすることができる。適当な処方添加剤は、一般に本質的に慣用のもの、特に  
【手続補正４】
【補正対象書類名】明細書
【補正対象項目名】００５７
【補正方法】変更
【補正の内容】
【００５７】
（Ｗ）の粘度は有利には５，０００ｍＰａ・ｓ（ｃＰ）未満であり、濃厚組成物（Ｗ）についてはそれは好ましくは２００から４，０００ｍＰａ・ｓ（ｃＰ）、一層好ましくは４００から２，０００ｍＰａ・ｓ（ｃＰ）の範囲にある。
【手続補正５】
【補正対象書類名】明細書
【補正対象項目名】００８５
【補正方法】変更
【補正の内容】
【００８５】
の蛍光増白剤（Ｌ−アスパラギン酸を用いて製造された）のナトリウム塩の１８％水溶液９７１．０部および３０％水溶液の形態の水酸化ナトリウム９０．４部を６５〜７０℃にて添加する。この混合物を６５〜７０℃に保ち、しかしてそれは重合するにつれてゆっくり増粘する。この反応混合物が１，０００ｍＰａ・ｓ（ｃＰ）の粘度に達した時、５．５のｐＨを生じるべくギ酸２０部の添加により反応を停止させる。